(57)【要約】【課題】コンクリート打設時の負荷状態においてもなお、型枠変形に対する備えと高い直角精度をもつ型枠コーナー部の型締を実現する方法および金具を提案する。【解決手段】型枠パネルのそれぞれの一辺を互いに鉢合わせして隅部を形成し、各型枠パネルの外面につき、それぞれ互いに井桁状に連結固定してなる複数の縦バタ材及び横バタ材を配設することにより該型枠パネルを支持して立ち上がり壁コーナー部を構築するに当たり、型枠パネルによって形成した隅部の突端にて横バタ材を９０　°の角度で交差させて該隅部と逆向きになる外隅部を設け、この外隅部に沿わせて隅付け縦バタ材を直接起立させる一方、一端を隅付け縦バタ材から間隔を隔てて横バタ材に係止固定し他端を隅付け縦バタ材を貫通させてねじ止めした角締め金具にて該隅付け縦バタ材と横バタ材との相互間に緊締力を生じさせる。【選択図】　　　　図４
2004027766.tif 000002
【特許請求の範囲】
【請求項１】
型枠パネルのそれぞれの一辺を互いに鉢合わせして隅部を形成し、各型枠パネルの外面につき、それぞれ互いに井桁状に連結固定してなる複数の縦バタ材及び横バタ材を配設することにより該型枠パネルを支持して立ち上がり壁コーナー部を構築するに当たり、
型枠パネルによって形成した隅部の突端にて横バタ材を９０　°の角度で交差させて該隅部と逆向きになる外隅部を設け、この外隅部に沿わせて隅付け縦バタ材を直接起立させる一方、一端を隅付け縦バタ材から間隔を隔てて横バタ材に係止固定し他端を隅付け縦バタ材を貫通させてねじ止めした角締め金具にて該隅付け縦バタ材と横バタ材との相互間に緊締力を生じさせることを特徴とする型枠コーナー部の角締め方法。
【請求項２】
隅付け縦バタ材が角パイプからなる請求項１記載の角締め方法。
【請求項３】
横バタ材によって形成した外隅部に沿わせて直接起立させる隅付け縦バタ材と、この隅付け縦バタ材から間隔を隔てた横バタ材の任意の位置でその相互間に緊締力を生じさせて型枠コーナー部の角締めを行う金具であって、
横バタ材の軸芯に沿って開通する貫通孔を有する金具本体と、この金具本体に保持し横バタ材をその背面及び正面から挟持するクランプと、一端を貫通孔を通して金具本体にねじ止めし他端を隅付け縦バタ材を貫いて該隅付け縦バタ材にねじ止めする締付ロッドからなることを特徴とする型枠コーナー部の角締め金具。
【請求項４】
クランプが、金具本体に連係してねじ止めする係止ロッドを有し横バタ材の背面に接触する背面爪部と、この背面爪部の係止ロッドを貫通して該係止ロッドに保持し該背面爪部と協働して横バタ材を挟持する正面爪部からなる請求項３記載の角締め金具。
【発明の詳細な説明】
【０００１】
【発明の属する技術分野】
本発明は、型枠コーナー部の角締め方法及びその方法に使用して好適な角締め金具に関し、とくにコンクリート立ち上がり壁コーナー部（出隅部・入隅部）のコンクリート打設に伴う型枠パネルの変形防止に対して有効な簡易角締め（角決め）を実現しようとするものである。
【０００２】
【従来の技術】
一般に、コンクリート建築物における内・外壁、バルコニー、ベランダ等の立ち上がり壁には、出隅部・入隅部からなるコーナー部があり、このコーナー部を構築するためには、図１に示すように、コーナー部を含む内・外型枠パネル１、１′の外面に、まず、内側縦バタ材２または棧木２′を配設すると共に、その外側には上下方向に所定の間隔で複数の通し横バタ材３を配設して井桁状に組み合わせ、セパレータやフォームタイを取付けて端太用クランプ金具等にて連結固定する一方で、横バタ材３が互いに交差する交差部（Ｃ）を根搦みコーナークランプ４等によって緊結して角締めされていた。
【０００３】
従来、上記コーナー部に用いられる角締め手段としては、図１に示すようなコーナークランプ４を取付ける方法の他に、図２（ａ）（ｂ）に示すように、水平交差させた前記横バタ材３…どうしを角決めするためのコーナークランプ金具５を用いて直角に緊結する方法、図３に示すようなコーナーロック金具６を取付ける方法、あるいはＬ　形の角決め定規を取付けて固定する方法などが既知である。
【０００４】
上記従来技術のうち、根搦みコーナークランプ４を用いる方法は、角締め効果が弱く、チェーンバックル等の併用が不可欠になるという問題あった。また、角決め用コーナークランプ５を用いる方法では、クランプ金具自体複雑な構造を有するだけでなく、取付け個数を多くする必要があるため、作業に時間がかかると共にコスト高になるという問題があった。また、コーナーロック金具６を用いる方法は、他のコーナーメイト金具との併用が不可欠であるだけでなく角締め効果が弱く、とくにコンクリート打設時の角締め保持に不安が残るという問題があった。そして、角決め定規を用いる方法は、上掲のコーナークランプ４や当金との併用が普通であって、セパレータやフォームタイを介して固定するとから取付け・解体作業に時間がかかり、上述したと同様の問題点を抱えていた。とくに、これらの従来技術に共通する問題点は、コンクリート打設時の型枠パネルの変形に対して十分に機能しないことと、直角精度が崩れやすいという点にあった。
【０００５】
そこで、本発明の主たる目的は、コンクリート打設時の負荷状態においてもなお、型枠パネルの変形に対する備えと高い直角精度をもつ型枠コーナー部の角締め方法を提案するところにある。
【０００６】
また、本発明の他の目的は、取付け・取り外しが簡単でしかも確実に角締めすることができる角締め金具を提案するところにある。
【０００７】
【課題を解決するための手段】
本発明は、型枠パネルのそれぞれの一辺を互いに鉢合わせて隅部を形成し、各型枠パネルの外面につき、それぞれ互いに井桁状に連結固定してなる複数の縦バタ材および横バタ材を配設することにより該型枠パネルを支持して立ち上がり壁コーナー部を構築するに当たり、
型枠パネルによって形成した隅部の突端にて横バタ材を９０　°の角度で交差させて該隅部と逆向きになる外隅部を設け、この外隅部に沿わせて隅付け縦バタ材を直接起立させる一方、一端を隅付け縦バタ材から間隔を隔てて横バタ材に係止固定し他端を隅付け縦バタ材を貫通させてねじ止めした角締め金具にて該隅付け縦バタ材と横バタ材との相互間に緊締力を生じさせることを特徴とする型枠コーナー部の角締め方法である。
【０００８】
隅付け縦バタ材は角パイプを用いるのが好ましい。
【０００９】
また、本発明は、横バタ材によって形成した外隅部に沿わせて直接起立させる隅付け縦バタ材と、この隅付け縦バタ材から間隔を隔てた横バタ材の任意の位置でその相互間に緊締力を生じさせて型枠コーナー部の角締めを行う金具であって、
横バタ材の軸芯に沿って開通する貫通孔を有する金具本体と、この金具本体に保持され横バタ材をその背面および正面から挟持するクランプと、一端を貫通孔を通して金具本体にねじ止めし他端を隅付け縦バタ材を貫いて該隅付け縦バタ材にねじ止めする締付ロッドからなることを特徴とする型枠コーナー部の角締め金具である。
【００１０】
上記の構成になる金具においてクランプは、金具本体に連係してねじ止めする係止ロッドを有し横バタ材の背面に接触する背面爪部と、この背面爪部の係止ロッドを貫通させて該係止ロッドに保持し該背面爪部と協働して横バタ材を挟持する正面爪部からなるものが本発明においてとくに有利に適合する。
【００１１】
【発明の実施の形態】
本発明は隅付け縦バタ材と横バタ材との間で緊締力を生じさせることで型枠コーナー部の隅部の開き止め実現すると同時に、高い角締め効果と、高い直角精度をも実現し、さらには作業能率に優れると同時にコストの軽減を図る。
【００１２】
以下、図面を参照して本発明をより具体的に説明する。
図４は本発明を実施するのに好適な型枠の組み込み構造を模式的に示したものであり、図において番号７、７′は型枠パネルである。この型枠パネル７、７′はそれぞれの一辺を互いに鉢合わせて隅部Ｃを形成することで立ち上がり壁コーナー部を構築する。
【００１３】
また、８は型枠パネル７、７′の外面にそれぞれ間隔をおいて配置される縦バタ材、９は縦バタ材８と直交する向きに配置される横バタ材である。縦バタ材８および横バタ材９は所要の間隔でもってそれぞれ互いに井桁状に連結固定されていて、型枠パネル７、７′を支持する。
【００１４】
また、１０は型枠パネル７、７′によって形成した隅部Ｃの突端にて横バタ材９を９０　°の角度で交差させて該隅部Ｃと逆向きになるとなるように形成した外隅部、１１は外隅部１０に沿わせてそこに直接起立させた隅付け縦バタ材、そして１２は角締め金具である。
【００１５】
角締め金具１２は一端を隅付け縦バタ材１１から間隔を隔てて横バタ材９に強固に係止固定し、他端を隅付け縦バタ材１１の貫通孔１１ａを通しその隅付け縦バタ材１１の背面でナットｎの如き係合部材にてねじ止め固定する。
【００１６】
上記の構造において型枠コーナー部の角締めを行うには、隅部Ｃを形成した型枠パネル７、７′の外面につき、井桁状に連結固定した複数本の縦バタ材８、横バタ材９を配設して、これによって型枠パネル１、２を支持し、外隅部１０に９０°の角度を維持したまま隅付け縦バタ材１１を配置する。そして、角締め金具１２の一端を横バタ材９の任意の位置で係止固定する一方、該角締め金具１２の他端を隅付け縦バタ材１１に予め開口させた貫通孔１１ａを通してその背面でナットｎの締め込みによりねじ止めする。この時のねじ止めによって隅付け縦バタ材１１と横バタ材９（係止固定の位置）との相互間に緊締力が生じることとなり型枠コーナー部は強固に角締めされることになる。角締めの際の直角精度はナットｎの締め付け度合いによって調整する。
【００１７】
図５は本発明に従う角締め金具の具体的構成を示したのである。
角締め金具１２は、横バタ材９の軸芯Ｐに沿って開通する貫通孔ｈ　を有する工具本体１２ａと、この工具本体１２ａに保持され横バタ材９をその背面および正面から挟持するクランプ１２ｂと、一端を貫通孔ｈを通して金具本体１２ａにねじ止めし他端を隅付け縦バタ材１１の貫通孔１１ａ　を貫いて該隅付け縦バタ材１１の背面でねじ止めする締付ロッド１２ｃとに構成することができ、このうち、クランプ１２ｂは金具本体１２ａに連係してねじ止めする係止ロッド１２ｄを有し横バタ材９の背面に接触する背面爪部１２ｂ１と、この背面爪部１２ｂ１の係止ロッド１２ｄに貫通孔ｈ１を通して保持され該背面爪部１２ｂ１と協働して横バタ材９を挟持する正面爪部１２ｂ２からなっている。なお、図中ｎはねじ止めに供するナットである。
【００１８】
かかる角締め金具をセットするには、クランプ１２ｂの背面爪部１２ｂ１を図６に示すごとく横向きにして横バタ材９の相互間の隙間を通過させたのち、爪部が横バタ材９の背面で接触するように縦向きにし、次いで、該背面爪部１２ｂ１の係止ロッド１２ｄに貫通孔ｈ１　を通して正面爪部１２ｂ２を保持したのち該係止ロッド１２ｄを金具本体１２ａに設けた貫通孔ｈ２　に通してナットｎによってねじ止めする。このナットｎのねじ止めに際しては正面爪部１２ｂ２についても背面爪部１２ｂ１と同様に爪部が横バタ材９の正面で接触するように縦向きになるようにその姿勢を維持することが肝要であり、このねじ止めによってクランプ１２ｂは金型本体１２ａとともに横バタ材９に強固に係止固定される。
【００１９】
次に、締付ロッド１２ｃの一端を金具本体１２ａの貫通孔ｈ　を通してねじ止めし、その他端については隅付け縦バタ材１１の貫通孔１１ａに通してその背面でねじ止めする。
【００２０】
角締め金具１２の取付け手順については、最初にクランプ１２ｂを横バタ材９に取り付けてから、締付ロッド１２ｄを隅付け縦バタ材１１にねじ止めする場合について説明したが、最初に締付ロッド１２ａを隅付け縦バタ材１１にねじ止めし次いでクランプ１２ｂを横バタ材１１に係止固定するようにしてもよく、取り付け手順は逆でもよい。
【００２１】
本発明では、クランプ１２ｂは２本で一組になる横バタ材９を一度に挟持するものとして例示したが、その爪部の形状は使用する横バタ材９の組み込み状況に応じて種々変更されるものであって、この点については限定されない。
【００２２】
また、背面爪部１２ｂ１は上下に配置した横バタ材９の隙間から挿入して配置する場合を想定してその爪幅Ｗを正面爪部１２ｂ２の爪幅Ｗ′より小さくする（Ｗ＜Ｗ′）のが好ましい（図５参照）。
【００２３】
隅付け縦バタ材１１は外隅部Ｃの角度（９０　°）を維持すべく当たりを大きくとるために角パイプを用いるのが最も好ましいが、作業状況等に応じて丸パイプを適用するこものできる。
【００２４】
【発明の効果】
本発明によれば、外隅部に配置される隅付け縦バタ材と型枠パネルを支える横バタ材の相互間に緊締力を付与するだけの作業で型枠コーナー部の開き止めが可能であり、高い直角精度を確保することができ、しかも、解体・取付け作業の簡易迅速化、低コスト化が実現できる。
【００２５】
また、本発明によれば、とくに型枠内にコンクリートを打設したときの負荷状態において型枠コーナー部の開きが懸念されるような場合であっても角締め金具のナットのねじ込みにより迅速な対応が可能であり、直角精度を安定的に維持できる。
【図面の簡単な説明】
【図１】従来の代表的な型枠コーナー部の角締め方法を説明するための斜視図である。
【図２】（ａ）（ｂ）は従来技術の一例を部分的に示す正面図及び平面図である。
【図３】従来技術に係る角締め方法の全体を示す型枠コーナー部の斜視図である。
【図４】本発明に係る角締め方法の全体を示す型枠コーナー部の斜視図である。
【図５】本発明に従う角締め金具の構成説明図である。
【図６】本発明に従う角締め金具の取付け要領の説明図である。
【符号の説明】
１　型枠パネル
１′型枠パネル
２　縦バタ材
２′棧木
３　横バタ材
４　コーナークランプ
５　コーナークランプ金具
６　コーナーロック金具
７　型枠パネル
７′型枠パネル
８　縦バタ材
９　横バタ材
１０　外隅部
１１　隅付け縦バタ材
１２　角締め金具
ｎ　ナット
【図１】
2004027766.tif 000003
【図２】
2004027766.tif 000004
【図３】
2004027766.tif 000005
【図４】
2004027766.tif 000006
【図５】
2004027766.tif 000007
【図６】
2004027766.tif 000008